(57)【要約】【課題】  新聞等に多数折り込まれる「広告用ちらし」、または多数のインターネット上の広告画面の中から特に注意と関心を引き、且つ顧客に印象付けることによって宣伝効果を高めることを目的とする。【解決手段】  （１）「広告用ちらし」の宣伝広告すべき「広告の要点」部分の上部、または遮蔽シールの上に直接「この下を見ないで下さい」等の記載をして顧客の関心を引き、かつ（２）「広告用ちらし」の宣伝広告すべき「広告の要点」を印刷した部分に、（３）取り外しができる不透明な遮蔽シールを貼付する。（４）然して上記貼付した遮蔽シールを顧客が剥ぎ取ることで、ビニール包装の本を開けるような刺激を受け、「広告の要点」を印象付ける。（５）インターネット上の宣伝広告すべき「広告の要点」部分を遮蔽し、「この下を見ないで下さい」等の記載をして顧客の関心を引き、遮蔽または遮蔽上の文字をパソコンのクリック操作等により、遮蔽を取り除いた跡に、「広告の要点」が表れるようにする。【選択図】図１
2005043651.tif 000002
【特許請求の範囲】
【請求項１】
「広告用ちらし」紙面上の宣伝すべき「広告の要点」部分に剥離可能な遮蔽シールを貼着し、該遮蔽シールの上部に「この下は見ないで下さい」或るいは該遮蔽シールの紙面上に「このシールは取らないで下さい」等の顧客が関心を引く語句を記載することを特徴とする広告用ちらし。
【請求項２】
前記遮蔽シールの糊面に「広告の要点」となる文字、記号、絵等を記載したことを特徴とする請求項１に記載の広告用ちらし。
【請求項３】
「広告用ちらし」用紙の下部端縁を折り畳んで遮蔽シールとなし、「広告の要点」を遮蔽せしめることを特徴とする請求項１に記載の広告用ちらし。
【請求項４】
インターネット上の広告画面の宣伝すべき「広告の要点」部分に、遮蔽を設け、遮蔽の上に「この下を見ないで下さい」等の顧客が関心を引く語句を記載することを特徴とするインターネット広告画面の表示方法。
【発明の詳細な説明】
【技術分野】
【０００１】
この発明は、新聞等に添付、折り込まれるか、或いは郵便ポストに投函されて配布される、広告宣伝の文言等が印刷されている「広告用ちらし」に関するものである。詳しくは、宣伝すべき「広告の要点」を遮蔽することにより、該「広告の要点」に対して特に関心を呼び、印象付けるようにした「広告用ちらし」に関するものである。
【０００２】
また、この発明は、インターネット上のホームーページ等において表示される広告画面に関するものである。詳しくは、宣伝すべき「広告の要点」を遮蔽することにより、該「広告の要点」に対して特に関心を呼び、印象付けるようにしたインターネット広告画面の表示方法に関するものである。
【背景技術】
【０００３】
従来から、各種催しや、住宅、電化製品、食品その他各種商品の宣伝広告用に多数のカタログや「広告用ちらし」が新聞に折り込まれ、家庭や事業所等に配布されている。
【０００４】
また、インターネット上では、各種催しや、住宅、電化製品、食品その他各種商品の宣伝広告用に多数の広告画面が表示され、家庭や事業所等に配信されている。
【発明の開示】
【発明が解決しようとする課題】
【０００５】
しかしながら上記従来の「広告用ちらし」においては、その殆どが単に用紙にイラスト、文字、図面、写真等を印刷したものであり一度は手にとって見るが、特に目的とする対象のもの以外はよほどの興味を引く宣伝内容、宣伝表現でない限り、折角配布されたカタログや「広告用ちらし」が顧客に検討されること無くそのまま廃棄され、無駄になるのが実情である。
【０００６】
これに対して僅かにアンケート、商品申し込み用の葉書等の薄い部材を「広告用ちらし」表面に貼付（例えばホチキスで止める）した特徴のあるものが提案されているが、これらの部材を露出した状態で貼付すると、「広告用ちらし」をセットする際、及び、「広告用ちらし」の配布時に互いに引っ掛かったり、「広告用ちらし」から外れたりするトラブルを生じていた。
【０００７】
これを改良するものとして、薄い商品等部材を「広告用ちらし」用紙の表面に貼付し、該商品等部材が「広告用ちらし」用紙の折り畳みの内側面に挟み込まれるように「広告用ちらし」用紙を折り畳むことによって貼付した部材が引っ掛かったり脱落したりしないように成されたものがあるが、このものは商品等を保護するだけのもので、特に「広告の要点」（広告文等）を強調し、印象付けるものではなかった。
【特許文献１】特開平２００１−２５３１８３号
【０００８】
また、インターネット上の広告画面においても、その殆どが単に画面にイラスト、文字、図面、写真等を表示したものであり、目についても、特に目的とする対象のもの以外はよほどの興味を引く宣伝内容、宣伝表現でない限り、該広告画面が顧客に検討されること無くそのまま見過ごされ、無駄になるのが実情である。
【０００９】
この発明は、上述した従来の「広告用ちらし」やインターネット上の広告画面が為し得なかった課題を解決するもので、「広告の要点」部分を顧客、読者等に強調印象付け、宣伝効果を高めることを目的としている。
【課題を解決するための手段】
【００１０】
この課題は、印刷された「広告用ちらし」の内、「広告の要点」の少なくとも一部分を不透明な遮蔽部材（シール等）を貼着して遮蔽することで宣伝したい顧客に格別の関心を惹起せしめることによって解決される。そして遮蔽シールの上部、または該遮蔽シールの紙面上には「この下を見ないで下さい」「このシールは取らないで下さい」等顧客が関心を呼ぶ語句を記載する。また該遮蔽シールの糊面、即ち「広告用ちらし」との接着面に、「広告の要点」となる文字、記号、絵を記載し、より興味を生じせしめることを特徴としている。
【００１１】
また、インターネット上の広告画面においては、「広告の要点」の少なくとも一部分を遮蔽し、「この下を見ないで下さい」等顧客が関心を呼ぶ語句を記載し、顧客がパソコンのマウスをクリック等の操作を行うと、遮蔽が除去され、「広告の要点」となる文字、記号、絵が現れるようにして、より興味を生じせしめることを特徴としている。
【発明の効果】
【００１２】
上述したように、この発明によれば、「広告用ちらし」またはインターネット上の広告画面において、「この下を見ないで下さい」等顧客の関心を呼ぶ惹句を記載した下に遮蔽シールまたは遮蔽を設け、顧客が該遮蔽シールまたは遮蔽を意識的に取り去ることによって宣伝すべき「広告の要点」を出現せしめて印象付け、宣伝効果を上げることができる。
【発明を実施するための最良の形態】
【００１３】
上記目的のため、この発明の「広告用ちらし」に於いては、該「広告用ちらし」を印刷作成する段階で、宣伝すべき「広告の要点」部分を遮蔽に適すると共に作成し易い位置、範囲、形に設定し、その上に遮蔽シールを貼着するようにしたものである。
【００１４】
この発明で「広告用ちらし」紙面「広告の要点」上の少なくとも一部に貼着して使用される遮蔽部材（例えばシール）は、一部又は全部が不透明な用紙で作成され、且つ該遮蔽シールの一部分又は全面に剥離可能な接着剤又は粘着剤が塗布されており、必要に応じてこれを剥がすことによって貼着遮蔽した部分である宣伝すべき「広告の要点」が現れる。
【００１５】
接着剤としては、感熱性のものよりも感圧性のものが好ましい。また粘着剤としては、広告用ちらし紙面上に糊跡を残さないで剥がれるものが好ましい。糊跡が残らない弱粘着性粘着剤を用いた一例として、住友スリーエムM社の貼って剥がせるラベル、商標「ポストイット」がある。
【００１６】
実施例では遮蔽シールとして紙製の不透明なシールについて述べたが、これに限定されるものではなく、着色したフイルムやアルミ箔であっても良いことは言うまでもない。
【００１７】
また、インターネット上の広告画面においては、画面を製作する段階で、宣伝すべき「広告の要点」部分を遮蔽に適すると共に作成し易い位置、範囲、形に設定し、その上を遮蔽するようにしたものである。インターネットの閲覧者である顧客が、パソコンのマウス操作等により、該遮蔽が除去され、「広告の要点」が表れるようにしたものである。
【００１８】
以下実施例によってこの発明の詳細を説明するが、同一部材、同一の用途については同じ符号を付してその説明を省略する。
【実施例１】
【００１９】
第1実施例を図１に示す。先ず「広告用ちらし」 
１の紙面上に印刷された「広告の要点」２の上部に「この下を見ないで下さい。」３と印刷し、そして該「広告の要点」２上の少なくとも一部に遮蔽シール４を貼付して遮蔽することを特徴とする。
【実施例２】
【００２０】
第２実施例を図２に示すように、実施例１で「広告の要点」２の上部に「この下を見ないで下さい」３と印刷する代わりに、貼着する遮蔽シール４の紙面上に直接「このシールを取らないで下さい」と記載する。
【実施例３】
【００２１】
第３実施例を図４に示す。実施例１〜２では「広告の要点」を遮蔽するのに、該「広告の要点」上に遮蔽シール４を貼着する手段を記載したが、この例では「広告用ちらし」1の一部（この例では「広告用ちらし」１の下部を折り畳み縁７）を二つ折りに折り畳み、この折り畳んだ部分が遮蔽部材８の用をなすことを特徴としている。そして折り畳んだその端縁6の少なくとも一部は、接着剤で接着するか、又はミシン状ローレットで物理的に縫合されている。
【００２２】
なお、上記実施例では関心を引く語句として「この下を見ないで下さい」、「このシールを取らないで下さい」等を例示したが之に限定せず「今週の目玉商品」とか「メーカー放出」「抽選くじあり」その他自在に記載できることは言うまでも無い。
【実施例４】
【００２３】
インターネット上の広告画面の「広告の要点」の遮蔽には、「この下を見ないで下さい」等を記載した遮蔽用の画面を上書きし、顧客がパソコンのマウス操作で遮蔽上または文字の上をクリックすると遮蔽が消え、「広告の要点」を記載した画面が現れるようにする。
【実施例５】
【００２４】
インターネット上の広告画面の「広告の要点」の遮蔽または遮蔽上の「この下を見ないで下さい」等の文字と、「広告の要点」記載のファイルとリンクが張ってあり、遮蔽または文字を、顧客がパソコンのマウス操作でクリックすると遮蔽が消え、「広告の要点」を記載したファイルが開き、広告の要点が画面に現れるようにする。
【００２５】
尚、マウスのクリック操作は遮蔽の上や文字上でなくても広告画面のどの位置でも良く、また、マウスのクリック操作は、キーボードの打ち込み操作や、音声による入力操作等、パソコン画面に支持を与える操作はどのような手段でも良いことは言うまでもない。
【図面の簡単な説明】
【００２６】
【図１】図１は、この発明の「広告用ちらし」の実施例１を示した斜視図である。
【図２】図２は、この発明の「広告用ちらし」の実施例２を示した斜視図である。
【図３】図３は、この発明の遮蔽シールの実施例３を示した斜視図である。
【図４】図４は、この発明の「広告用ちらし」の他の実施例４を示した斜視図である。
【符号の説明】
【００２７】
１  広告用ちらし
２  広告の要点
３  惹句
４  遮蔽シール
５  遮蔽シールの糊面
６  端縁
７  折り畳み縁
８  遮蔽部材
【図１】
2005043651.tif 000003
【図２】
2005043651.tif 000004
【図３】
2005043651.tif 000005
【図４】
2005043651.tif 000006